(57)【要約】【課題】施工時に位置をあわせることが容易で、位置ズレが発生しない建築板を提供する。【解決手段】建築板の右辺及び／又は左辺に、表面から裏面に向かって曲面形状の端辺を有する建築板であって、該建築板の裏面には、該曲面形状の端辺の端部から該建築板の厚み分だけ内側の位置に、該建築板の厚みの半分以下の深さの溝が、直線状に形成されている。又は、表面に凹凸柄を有し、かつ、該建築板の右辺及び／又は左辺に、表面から裏面に向かって曲面形状の端辺を有する建築板であって、該曲面形状の端辺には、該建築板の表面の凹凸柄と同様の意匠となるように凹凸柄が形成されており、該建築板の裏面には、該曲面形状の端辺の凸柄の端部から該建築板の厚み分だけ内側の位置に、裏面から該建築板の厚みの半分以下の深さの溝が、上下にわたって、直線状に形成されている。【選択図】図２
0003165551.tif 000002
【実用新案登録請求の範囲】
【請求項１】
右辺及び／又は左辺に、表面から裏面に向かって曲面形状の端辺を有する建築板であって、
該建築板の裏面には、該曲面形状の端辺の端部から該建築板の厚み分だけ内側の位置に、該建築板の厚みの半分以下の深さの溝が、直線状に形成されている
ことを特徴とする建築板。
【請求項２】
表面に凹凸柄を有し、かつ、該建築板の右辺及び／又は左辺に、表面から裏面に向かって曲面形状の端辺を有する建築板であって、
該曲面形状の端辺には、該建築板の表面の凹凸柄と同様の意匠となるように凹凸柄が形成されており、
該建築板の裏面には、該曲面形状の端辺の凸柄の端部から該建築板の厚み分だけ内側の位置に、該建築板の厚みの半分以下の深さの溝が、上下にわたって、直線状に溝が形成されている
ことを特徴とする建築板。
【考案の詳細な説明】
【技術分野】
【０００１】
本考案は、内壁材、外壁材などに用いられる建築板に関するものである。
【背景技術】
【０００２】
従来から、セメント等の水硬性無機粉体と、木質パルプ繊維などの木質繊維とを主成分とする木質セメント板がある。この木質セメント板は曲げ強度などの強度が高く、かつ、適度なたわみがあり、表面の造形性にも優れるので、内壁、外壁を形成する建築板として使用されている。そして、内壁、外壁の出隅部分には、２枚の建築板を略垂直に接着した部材が使用されている。
【０００３】
例えば、特許文献１には、２つの板片を角状に配置してなる出隅柱が開示されている。
【０００４】
しかし、特許文献１の出隅柱は、２つの板片を接合しなければならないので、製造に手間がかかり、コストも高くなるという問題がある。また、板材に較べ、保管、運搬に手間がかかるという問題もある。
【０００５】
そこで、特許文献２には、側面が曲面形状とされ、該側面に表面と同じ意匠を施した壁用部材が記載されている。
【０００６】
しかし、特許文献２の壁用部材では、内壁、外壁の出隅部分に施工する際に、該壁用部材と、該壁用部材と垂直に配される別の壁用部材との位置の調整に手間がかかっていた。すなわち、該壁用部材は、別の壁用部材と垂直に施工して、内壁、外壁の出隅部分を構成するのだが、該壁用部材と別の壁用部材の間には、壁用部材の経時による寸法変化に対応するために、シーリングを配する必要がある。シーリングは壁用部材を施工した後に施すので、２つの壁用部材の間には空間を設けなければならず、壁用部材の端部を揃えることに手間がかかっている。
【０００７】
また、特許文献２の壁用部材は、金具施工により留め付けるのだが、釘での留め付けは行われないので、施工した後に、振動により位置ズレが発生するという問題がおきている。
【先行技術文献】
【特許文献】
【０００８】
【特許文献１】特開２０００−２８２６５８号公報
【特許文献２】特開２００６−１６９７４６号公報
【考案の概要】
【考案が解決しようとする課題】
【０００９】
本考案は前述した事情に鑑みてなされたものであり、施工時に位置をあわせることが容易で、施工後に位置ズレが発生しない建築板を提供するものである。
【課題を解決するための手段】
【００１０】
本考案は、右辺及び／又は左辺に、表面から裏面に向かって曲面形状の端辺を有する建築板を提供する。曲面形状の端辺は、建築板の右辺及び／又は左辺に形成されているので、該曲面形状の端辺が出隅部となるよう、内壁、外壁の出隅部分に施工することができる。そして、本考案の建築板の裏面には、曲面形状の端辺の端部から該建築板の厚み分だけ内側の位置に、該建築板の厚みの半分以下の深さの溝が、直線状に形成されている。そのため、施工時には、該溝に、建物の構造躯体に先に固定されたハットジョイナーを挿入させることができるので、建築板の施工位置を容易にあわせることができる。また、ハットジョイナーは釘等により固定されているので、建築板はハットジョイナーによっても固定されることとなり、施工後に位置ズレが発生しない。
また、本考案では、表面に凹凸柄を有し、かつ、該建築板の右辺及び／又は左辺に、表面から裏面に向かって曲面形状の端辺を有する建築板も提供する。曲面形状の端辺には、該建築板の表面の凹凸柄と同様の意匠となるように凹凸柄が形成されているので、該曲面形状の端辺が出隅部となるよう、内壁、外壁の出隅部分に施工することができる。そして、本考案の建築板の裏面には、該曲面形状の端辺の凸柄の端部から該建築板の厚み分だけ内側の位置に、該建築板の厚みの半分以下の深さの溝が、上下にわたって、直線状に形成されている。そのため、施工時には、該溝に、建物の構造躯体に先に固定されたハットジョイナーを挿入させることができるので、建築板の施工位置を容易にあわせることができる。また、ハットジョイナーは釘等により固定されているので、建築板はハットジョイナーによっても固定されることとなり、施工後に位置ズレが発生しない。
【考案の効果】
【００１１】
本考案によれば、施工時に位置をあわせることが容易で、施工後も位置ズレが発生しない建築板を提供することができる。
【図面の簡単な説明】
【００１２】
【図１】図１は、本考案にかかる建築板の一実施例の正面図である。
【図２】図２は、図１に示す建築板の背面図である。
【図３】図３は、図１に示す建築板の底面図である。
【図４】図４は、図１〜３に示す建築板を用いて形成された建築物の施工状態を上から見た図である。
【図５】図５は、本考案にかかる建築板の別の実施例の正面図である。
【図６】図６は、図５に示す建築板の背面図である。
【図７】図７は、図５に示す建築板の底面図である。。
【図８】図８は、本考案にかかる建築板の更に別の実施例の正面図である。
【図９】図９は、図８に示す建築板の背面図である。
【図１０】図１０は、図８に示す建築板の底面図である。
【考案を実施するための形態】
【００１３】
以下、図面を参照しながら本考案について詳細に説明する。
【００１４】
図１、図２、図３は、本考案にかかる建築板の一実施例の正面図、背面図、底面図である。
図１〜３に示す建築板Ａ１は、セメントと、ケイ酸含有物質と、木質補強材からなり、厚さ１６mm、長さ３０３０mm、幅４７０mmの長尺板である。
建築板Ａ１は、表面が平板形状で、左辺には曲面形状の端辺ａ１１を、右辺には曲面形状の端辺ａ１２有する。曲面形状の端辺ａ１１、ａ１２は、表面から裏面に向かって曲面形状とされており、曲面形状の端辺ａ１１は建築板Ａ１の左辺にわたって形成されており、曲面形状の端辺ａ１２は建築板Ａ１の右辺にわたって形成されている。
建築板Ａ１の裏面には、曲面形状の端辺ａ１１の端部から内側に１６mmの位置に溝ｂ１１が設けられており、曲面形状の端辺ａ１２の端部から内側に１６mmの位置には溝ｂ１２が設けられている。すなわち、曲面形状の端辺ａ１１の端から建築板Ａ１の厚み分だけ内側の位置に溝ｂ１１が、曲面形状の端辺ａ１２の端部から建築板Ａ１の厚み分だけ内側の位置に溝ｂ１２が設けられている。なお、溝ｂ１１、ｂ１２は、上下にわたって、直線状に延びており、曲面形状の端辺ａ１１、ａ１２と平行である。また、溝ｂ１１、ｂ１２の深さは、建築板Ａ１の裏面から８mmに設けられている。
建築板Ａ１の上端辺には下実ｃ１が、下端辺には上実ｄ１が設けられており、別の建築板の下実又は上実と嵌合させることが可能である。なお、下実ｃ１、上実ｄ１は、溝ｂ１１、ｂ１２の間に設けられている。
【００１５】
図４は、図１〜３に示す建築板Ａ１を用いて形成された建築物の施工状態を上から見た図である。
図４は、建築物の出隅部分の施工状態を示しており、出隅部分となる柱の２辺には、胴縁Ｂ１と胴縁Ｂ２が、互いに垂直でＬ字形を形成するよう、端部を揃えた状態で、釘により固定されている。なお、柱と胴縁Ｂ１の間、及び柱と胴縁Ｂ２の間には、防水紙が挟まれている。そして、胴縁Ｂ１の外側面には、留め付け金具Ｃ１が釘により固定されており、胴縁Ｂ２の外側面には、留め付け金具Ｃ２とスペーサーＤが釘により固定されている。なお、スペーサーＤは留め付け金具Ｃ２より出隅部分に近い位置に配されている。スペーサーＤの外側面には、ハットジョイナーＥが釘により固定されており、建築板Ａ２は留め付け金具Ｃ２により係止されている。ここで、留め付け金具Ｃ２は、胴縁Ｂ２から５mm離して建築板Ａ２を係止しているので、スペーサーＤとハットジョイナーＥは、建築板Ａ２と胴縁Ｂ２に挟まれた状態であっても不具合は発生しない。また、建築板Ａ２は、端辺がハットジョイナーＥのハット部の側面に当接した状態で係止されているので、容易に位置があわせられる。一方、建築板Ａ１は、溝ｂ１１にハットジョイナーＥが挿入した状態で、留め付け金具Ｃ１により係止されている。そのため、建築板Ａ１は、ハットジョイナーＥにより容易に位置をあわせることができる。また、ハットジョイナーＥは、胴縁Ｂ２に釘で固定されているので、ハットジョイナーＥによって建築板Ａ１と建築板Ａ２は強固に固定され、施工後に位置ズレが発生しない。なお、この施工構造では、建築板Ａ１と建築板Ａ２とハットジョイナーＥで囲まれた領域には、シーリングが充填されている。
【００１６】
図５、図６、図７は、本考案にかかる建築板の別の実施例の正面図、背面図、底面図である。
建築板Ａ３は、図５に示すとおり、表面に凹凸柄を有する。詳しくは、建築板Ａ３の左辺から右辺にかけて、直線状に延びた凸部ｅ１と凹部ｆ１が交互に複数形成されている。そして、建築板Ａ３の左辺には曲面形状の端辺ａ３１、ａ３２を、右辺には曲面形状の端辺ａ３３、ａ３４を有する。詳しくは、凸部ｅ１の左辺には曲面形状の端辺ａ３１が、右辺には曲面形状の端辺ａ３３が設けられており、凹部ｆ１の左辺には曲面形状の端辺ａ３２が、右辺には曲面形状の端辺ａ３４が設けられているので、左辺には曲面形状の端辺ａ３１と曲面形状の端辺ａ３２が交互に複数形成されており、右辺には曲面形状の端辺ａ３３と曲面形状の端辺ａ３４が交互に複数形成されている。なお、曲面形状の端辺ａ３１、ａ３２、ａ３３、ａ３４は、表面から裏面に向かって曲面形状とされている。そのため、建築板Ａ３の左辺は、曲面形状の端辺ａ３１、ａ３２により、表面から裏面に向かって曲面形状であるとともに、表面の凹凸柄と同様の凹凸柄を有する。また、建築板Ａ３の右辺は、曲面形状の端辺ａ３３、ａ３４により、表面から裏面に向かって曲面形状であるとともに、表面の凹凸柄と同様の凹凸柄を有する。
建築板Ａ３の裏面には、曲面形状の端辺ａ３１の端部から内側に１６mmの位置に溝ｂ３１が設けられており、曲面形状の端辺ａ３３の端部から内側に１６mmの位置に溝ｂ３２が設けられている。すなわち、曲面形状の端辺ａ３１の端部から建築板Ａ３の厚み分だけ内側の位置に溝ｂ３１が、曲面形状の端辺ａ３３の端部から建築板Ａ３の厚み分だけ内側の位置に溝ｂ３２が設けられている。なお、溝ｂ３１、ｂ３２は、上下にわたって、直線状に延びており、曲面形状の端辺ａ３１、ａ３３と平行である。また、溝ｂ３１、ｂ３２の深さは、建築板Ａ３の裏面から８mmに設けられている。
建築板Ａ３の上端辺には下実ｃ３が、下端辺には上実ｄ３が設けられており、別の建築板の下実又は上実と嵌合させることが可能である。また、下実ｃ３、上実ｄ３は、溝ｂ３１、ｂ３２の間に設けられている。
【００１７】
建築板Ａ３も、建築板Ａ１と同様に、図４に示すように施工することができる。すなわち、建築板Ａ３は、溝ｂ３１にハットジョイナーＥが挿入した状態で、留め付け金具Ｃ１により係止することができる。そのため、建築板Ａ３は、ハットジョイナーＥにより容易に位置をあわせることができる。また、ハットジョイナーＥは、胴縁Ｂ２に釘により固定されているので、ハットジョイナーＥによって建築板Ａ３と建築板Ａ２は強固に固定され、施工後に位置ズレが発生しない。
【００１８】
図８、図９、図１０は、本考案にかかる建築板の更に別の実施例の正面図、背面図、底面図である。
建築板Ａ４は、右辺に曲面形状の端辺を有さず、下実ｃ４と上実ｄ４が右辺にまで設けてあることが建築板Ａ１とは異なる。しかし、他は建築板Ａ１と同じであり、左辺には、表面から裏面に向かって曲面形状とされ、建築板Ａ４の左辺にわたって形成された曲面形状の端辺ａ４１を有する。そのため、建築板Ａ１と同様に、左辺が内壁、外壁の出隅を形成するよう施工することができる。また、建築板Ａ４の裏面には、曲面形状の端辺ａ４１の端部から内側に建築板Ａ４の厚み分（１６mm）だけ内側の位置に溝ｂ４１が、建築板Ａ４の裏面から８mmの深さで、上下にわたって、曲面形状の端辺ａ４１と平行に延びている。そのため、建築板Ａ４も、溝ｂ４１にハットジョイナーＥが挿入した状態で、留め付け金具Ｃ１により係止することができる。
よって、建築板Ａ４も、ハットジョイナーＥにより容易に位置をあわせることができる。また、ハットジョイナーＥは、胴縁Ｂ２に釘により固定されているので、ハットジョイナーＥによって建築板Ａ４と建築板Ａ２は強固に固定され、施工後に位置ズレが発生しない。
【００１９】
以上に本考案の実施形態について説明したが、本考案はこれに限定されず、実用新案登録請求の範囲に記載の考案の範囲において種々の変形態を取り得る。例えば、図５〜７では、左辺と右辺に曲面形状の端辺を有する建築板を示したが、左辺又は右辺にのみに曲面形状の端辺を有する建築板も可能である。また、図８〜図１０では、左辺にのみ曲面形状の端辺を有する建築板を示したが、右辺のみに曲面形状の端辺を有する建築板も可能である。なお、右辺にのみに曲面形状の端辺を有する建築板の場合には、右辺にある曲面形状の端辺が出隅部分を形成するように施工する。
【産業上の利用可能性】
【００２０】
以上説明したように、本考案によれば、施工時に位置をあわせることが容易で、位置ズレが発生しない建築板を提供することができる。
【符号の説明】
【００２１】
Ａ１〜Ａ４      建築板
Ｂ１〜Ｂ２      胴縁
Ｃ１〜Ｃ２      留め付け金具
Ｄ              スペーサー
Ｅ              ハットジョイナー
ａ１１〜ａ４１  曲面形状の端辺
ｂ１１〜ｂ４１  溝
ｃ１〜ｃ４      下実
ｄ１〜ｄ４      上実
【図１】
0003165551.tif 000003
【図２】
0003165551.tif 000004
【図３】
0003165551.tif 000005
【図４】
0003165551.tif 000006
【図５】
0003165551.tif 000007
【図６】
0003165551.tif 000008
【図７】
0003165551.tif 000009
【図８】
0003165551.tif 000010
【図９】
0003165551.tif 000011
【図１０】
0003165551.tif 000012